(57)【特許請求の範囲】
【請求項１】
電気機器が消費した電力を示す消費電力情報を取得する消費電力情報取得手段と、
上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、を備え、
上記生成手段は、
上記消費電力情報取得手段が取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出手段、
を備え、
上記算出手段が算出したアドバイス対象期間が所定の期間以内の場合に、上記アドバイス対象期間において、上記第２の動作モードで動作させる旨を示すアドバイス情報を生成し、
上記アドバイス対象期間が所定の期間よりも長い場合に、上記アドバイス情報を生成しない、
ことを特徴とするアドバイス生成装置。
【請求項２】
電気機器が消費した電力を示す消費電力情報を取得する消費電力情報取得手段と、
上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、を備え、
上記生成手段は、
上記消費電力情報取得手段が取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出手段、
を備え、
上記過去のある期間が所定の期間以内の場合に、上記算出手段が算出したアドバイス対象期間において、上記第２の動作モードで動作させる旨を示すアドバイス情報を生成し、
上記過去のある期間が所定の期間よりも長い場合に、上記アドバイス情報を生成しない、
ことを特徴とするアドバイス生成装置。
【請求項３】
差分電力量算出手段をさらに備え、上記差分電力量算出手段は、上記電気機器を上記第１の動作モードで動作させた第１の所定の期間における消費電力量と、当該第１の所定の期間を上記第２の動作モードで動作させた場合の消費電力量である第１の基準消費電力量との差分である第１の差分電力量、および、
上記第１の所定の期間後の期間であって、上記電気機器を上記第１の所定の期間を上記第１の動作モードで動作させた場合の上記第２の動作モードで動作させた期間である第２の所定の期間における消費電力量と、上記第１の所定の期間後の期間であって、上記電気機器を、上記第１の所定の期間を上記第２の動作モードで動作させた場合の上記第２の動作モードで動作させた期間である第２の所定の期間の消費電力量である第２の基準消費電力量との差分である第２の差分電力量を、
それぞれ上記消費電力情報取得手段が取得した消費電力情報を参照して、算出し、
上記生成手段は、上記差分電力量算出手段が算出した第１の差分電力量および第２の差分電力量を比較し、比較結果に応じたアドバイス情報を生成することを特徴とする請求項１または２に記載のアドバイス生成装置。
【請求項４】
上記差分電力量算出手段は、上記過去のある期間のうち、上記第１の所定の期間における上記第１の差分電力量、および、
上記過去のある期間のうち、上記第２の所定の期間における上記第２の差分電力量を算出し、
上記生成手段は、上記差分電力量算出手段が算出した第１の差分電力量が、上記第２の差分電力量より少ない場合に、上記第１の所定の期間では上記第２の動作モードで動作させた方が消費電力量は少なかったことを示すアドバイス情報を生成することを特徴とする請求項３に記載のアドバイス生成装置。
【請求項５】
上記生成手段は、上記アドバイス情報に、上記第１の差分電力量と上記第２の差分電力量との差分を示す差分情報を含めることを特徴とする請求項４に記載のアドバイス生成装置。
【請求項６】
上記生成手段は、上記第１の差分電力量と上記第２の差分電力量とが等しくなる期間を算出することを特徴とする請求項３に記載のアドバイス生成装置。
【請求項７】
上記電気機器に対する操作指示を受け付ける受付手段をさらに備え、
上記生成手段は、上記受付手段が上記電気機器を上記第２の動作モードから上記第１の動作モードへと切り替える旨の指示を受け付けたときに、上記アドバイス情報を生成することを特徴とする請求項１から６の何れか１項に記載のアドバイス生成装置。
【請求項８】
上記電気機器を含む複数の電気機器と、上記消費電力情報取得手段とを中継する中継手段をさらに備えることを特徴とする請求項１〜７の何れか１項に記載のアドバイス生成装置。
【請求項９】
上記生成手段が生成したアドバイス情報が示すアドバイスを、上記中継手段を介して上記複数の電気機器の何れかに出力するアドバイス情報出力手段をさらに備え、
上記アドバイス情報出力手段は、上記生成手段が上記アドバイス情報を生成するために参照した消費電力情報が示す消費電力量を消費した電気機器に、上記アドバイス情報を出力することを特徴とする請求項８に記載のアドバイス生成装置。
【請求項１０】
上記生成手段によって生成されたアドバイス情報が示すアドバイスを報知する報知手段をさらに備えることを特徴とする請求項１〜９の何れか１項に記載のアドバイス生成装置。
【請求項１１】
電子掲示板を管理する管理手段をさらに備え、
上記管理手段は、上記生成手段によって生成されたアドバイス情報が示すアドバイスを上記電子掲示板に投稿することを特徴とする請求項１〜１０の何れか１項に記載のアドバイス生成装置。
【請求項１２】
電気機器が消費した電力を示す消費電力情報を取得する消費電力情報取得手段と、
上記消費電力情報取得手段が取得した消費電力情報を参照して、上記電気機器を第１の動作モードで動作させた後に第２の動作モードで動作させるより、当該第１の動作モードで動作させる期間を第２の動作モードで動作させる方が、消費電力量が少なくなる期間であるアドバイス対象期間を算出する算出手段と、
上記消費電力情報取得手段が取得した消費電力情報を参照して、上記算出手段が算出したアドバイス対象期間において、上記第２の動作モードにて動作させる旨のアドバイス情報を生成する生成手段と、
を備え、
上記生成手段は、
上記算出手段が算出したアドバイス対象期間が所定の期間以内の場合に、上記アドバイス対象期間において、上記第２の動作モードで動作させる旨を示すアドバイス情報を生成し、
上記アドバイス対象期間が所定の期間よりも長い場合に、上記アドバイス情報を生成しない、
ことを特徴とするアドバイス生成装置。
【請求項１３】
アドバイス生成装置によって実行されるアドバイス生成方法であって、
電気機器が消費した電力を示す消費電力情報を取得する消費電力情報取得工程と、
上記消費電力情報取得工程において取得した消費電力情報が示す消費電力のうち、上記電気機器の過去のある期間における消費電力の変化を参照し、上記電気機器の使用に関するアドバイスを示すアドバイス情報を生成する生成工程と、を含み、
上記生成工程には、
上記消費電力情報取得工程において取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出工程、
が含まれ、
上記算出工程において算出したアドバイス対象期間が所定の期間以内の場合に、上記アドバイス対象期間において、上記第２の動作モードで動作させる旨を示すアドバイス情報を生成し、
上記アドバイス対象期間が所定の期間よりも長い場合に、上記アドバイス情報を生成しない、
ことを特徴とするアドバイス生成方法。
【請求項１４】
アドバイス生成装置によって実行されるアドバイス生成方法であって、
電気機器が消費した電力を示す消費電力情報を取得する消費電力情報取得工程と、
上記消費電力情報取得工程において取得した消費電力情報が示す消費電力のうち、上記電気機器の過去のある期間における消費電力の変化を参照し、上記電気機器の使用に関するアドバイスを示すアドバイス情報を生成する生成工程と、を含み、
上記生成工程には、
上記消費電力情報取得工程において取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出工程、
が含まれ、
上記過去のある期間が所定の期間以内の場合に、上記算出工程において算出したアドバイス対象期間において、上記第２の動作モードで動作させる旨を示すアドバイス情報を生成し、
上記過去のある期間が所定の期間よりも長い場合に、上記アドバイス情報を生成しない、
ことを特徴とするアドバイス生成方法。
【請求項１５】
アドバイス生成装置としてコンピュータを機能させるための制御プログラムであって、上記コンピュータを、
電気機器が消費した電力を示す消費電力情報を取得する消費電力情報取得手段と、
上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、として機能させ、
上記コンピュータは、上記生成手段を、
上記消費電力情報取得手段が取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出手段、
として機能させるとともに、
上記算出手段が算出したアドバイス対象期間が所定の期間以内の場合に、上記アドバイス対象期間において、上記第２の動作モードで動作させる旨を示すアドバイス情報を生成し、
上記アドバイス対象期間が所定の期間よりも長い場合に、上記アドバイス情報を生成しないように機能させるための制御プログラム。
【請求項１６】
アドバイス生成装置としてコンピュータを機能させるための制御プログラムであって、上記コンピュータを、
電気機器が消費した電力を示す消費電力情報を取得する消費電力情報取得手段と、
上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、として機能させ、
上記コンピュータは、上記生成手段を、
上記消費電力情報取得手段が取得した消費電力情報を参照して、上記過去のある期間のうち、上記電気機器を第１の動作モードで動作させた期間であって、当該期間を第１の動作モードに替えて第２の動作モードで動作させた方が上記過去のある期間における消費電力量が少なくなる期間であるアドバイス対象期間を算出する算出手段、
として機能させるとともに、
上記過去のある期間が所定の期間以内の場合に、上記算出手段が算出したアドバイス対象期間において、上記第２の動作モードで動作させる旨を示すアドバイス情報を生成し、
上記過去のある期間が所定の期間よりも長い場合に、上記アドバイス情報を生成しないように機能させるための制御プログラム。
【発明の詳細な説明】
【技術分野】
【０００１】
本発明は、電気機器の使用に関するアドバイスを生成するアドバイス生成装置、アドバイス生成方法、および当該アドバイス生成装置として機能するための制御プログラムに関する。
【背景技術】
【０００２】
近年、電気機器の使用に関する情報であって、当該電気機器が消費する消費電力量を少なくするための情報を提示する技術が開示されている。
【０００３】
例えば、特許文献１に記載のエネルギー管理装置は、外部温度から部屋温度を推測し、当該部屋温度を予め定めた快適温度に調整するために必要な許容消費電力を求め、エアコンの消費電力が当該許容消費電力より高い場合、消費電力を下げるように促すアドバイスを作成する。
【先行技術文献】
【特許文献】
【０００４】
【特許文献１】特開２０１２−１７２９２４号公報（２０１２年９月１０日公開）
【発明の概要】
【発明が解決しようとする課題】
【０００５】
電気機器の使用態様によっては、電気機器の電源を一旦ＯＦＦするよりも、電源をＯＮにしたままの方が、全体として消費電力量が少なくなる場合がある。エアコンを例に挙げると、近年のエアコンは、設定温度に達するまでは大きな電力を消費し、設定温度に達した後は、その温度を保つための最低限の電力しか消費しないように設計されている。そのため、外出時に一旦エアコンの電源をＯＦＦして、帰宅後にエアコンの電源をＯＮするより、ＯＮにしたままの方が、全体として消費電力量が少なくなる場合がある。
【０００６】
しかしながら、上述のような従来技術では、現時点で電気機器が消費している電力を参照しているため、現時点における電気機器の使用に関するアドバイスを行うことしかできない。そのため、電気機器の使用態様を鑑みたアドバイスを提供するという観点において課題を有していた。
【０００７】
本発明は上記問題に鑑みてなされたものであり、その目的は、電気機器の使用態様を鑑みたより適切なアドバイスを提供する技術を提供することにある。
【課題を解決するための手段】
【０００８】
上記の課題を解決するために、本発明の一態様に係るアドバイス生成装置は、電気機器が消費した電力を示す消費電力情報を取得する消費電力情報取得手段と、上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、を備える。
【０００９】
また、上記の課題を解決するために、本発明の一態様に係るアドバイス生成装置は、電気機器が消費した電力を示す消費電力情報を取得する消費電力情報取得手段と、上記消費電力情報取得手段が取得した消費電力情報を参照して、所定の期間において、第１の動作モードで動作させるよりも、当該第１の動作モードよりも消費電力が大きい第２の動作モードにて動作させる方が、全体的な消費電力量が少なくなる旨のアドバイスを生成する生成手段と、を備える。
【００１０】
また、上記の課題を解決するために、本発明の一態様に係るアドバイス生成方法は、電気機器が消費した電力を示す消費電力情報を取得する消費電力情報取得工程と、上記消費電力情報取得工程において取得した消費電力情報が示す消費電力のうち、上記電気機器の過去のある期間における消費電力の変化を参照し、上記電気機器の使用に関するアドバイスを示すアドバイス情報を生成する生成工程と、を含む。
【００１１】
また、上記の課題を解決するために、本発明の一態様に係る制御プログラムは、アドバイス生成装置としてコンピュータを機能させるための制御プログラムであって、上記コンピュータを、電気機器が消費した電力を示す消費電力情報を取得する消費電力情報取得手段と、上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段と、として機能させる。
【発明の効果】
【００１２】
本発明の一態様によれば、電気機器の使用態様を鑑みたより適切なアドバイスを提供することができる。
【図面の簡単な説明】
【００１３】
【図１】本発明の実施形態１に係るアドバイス生成システムを模式的に示す図である。
【図２】本発明の実施形態１におけるアドバイス生成装置の構成を示す図であり、（ａ）は、アドバイス生成装置の要部構成を示すブロック図であり、（ｂ）は、アドバイス生成装置のハードウェア構成を示すブロック図である。
【図３】本発明の実施形態１におけるエアコン、消費電力測定タップ、および中継器の構成を示す図であり、（ａ）は、エアコンの要部構成を示すブロック図であり、（ｂ）は、消費電力測定タップの要部構成を示すブロック図であり、（ｃ）は、中継器の要部構成を示すブロック図である。
【図４】本発明の実施形態１におけるテレビおよび携帯端末の構成を示す図であり、（ａ）は、テレビの要部構成を示すブロック図であり、（ｂ）は、携帯端末の要部構成を示すブロック図である。
【図５】本発明の実施形態１におけるアドバイス生成装置が取得した消費電力情報が示すエアコンの消費電力量の変化を示すグラフの一例である。
【図６】本発明の実施形態１におけるアドバイス生成装置の処理の流れを示すフローチャートである。
【図７】本発明の実施形態１におけるアドバイス生成装置が取得した消費電力情報が示すエアコンの消費電力量の変化を示すグラフの一例である。
【図８】本発明の実施形態１におけるアドバイス生成装置がアドバイスを報知する例を示す図であり、（ａ）は、アドバイスを報知する一例であり、（ｂ）は、アドバイスを報知する他の例であり、（ｃ）は、アドバイスを報知するさらに他の例であり、（ｄ）は、アドバイスを報知するさらに他の例である。
【図９】本発明の実施形態１においてエアコン、テレビ、および携帯端末がアドバイスを報知する例を示す図であり、（ａ）は、エアコンがアドバイスを報知する例であり、（ｂ）は、テレビがアドバイスを報知する例であり、（ｃ）は、携帯端末がアドバイスを報知する例である。
【図１０】本発明の実施形態２におけるアドバイス生成装置の要部構成を示すブロック図である。
【図１１】本発明の実施形態２におけるエアコンの消費電力量の変化を示すグラフであり、（ａ）は、エアコンの消費電力量の変化の一例を示すグラフであり、（ｂ）は、エアコンの消費電力量の変化の他の例を示すグラフである。
【図１２】本発明の実施形態２におけるアドバイス生成装置が取得した消費電力情報が示すエアコンの消費電力量の変化を示すグラフの一例である。
【図１３】本発明の実施形態２におけるアドバイス生成装置がアドバイスを報知する例を示す図であり、（ａ）は、アドバイスを報知する一例であり、（ｂ）はアドバイスを報知する他の例である。
【図１４】本発明の実施形態３に係るアドバイス生成システムを模式的に示す図である。
【図１５】本発明の実施形態３におけるアドバイス生成装置の要部構成を示すブロック図である。
【発明を実施するための形態】
【００１４】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１５】
（アドバイス生成システム１の構成）
図１は、本発明の実施形態１に係るアドバイス生成システム１を模式的に示す図である。アドバイス生成システム１は、図１に示すように、アドバイス生成装置１００、エアコン２００、消費電力測定タップ３００、中継器（中継手段）４００、テレビ５００、および携帯端末６００によって構成されている。
【００１６】
アドバイス生成システム１では、エアコン２００が消費した電力を消費電力測定タップ３００が測定する。そして、消費電力測定タップ３００は、測定した消費電力を示す消費電力情報を中継器４００に出力する。中継器４００は、取得した消費電力情報を保存し、アドバイス生成装置１００からの要求に応じて、保存している消費電力情報をアドバイス生成装置１００に出力する。アドバイス生成装置１００は、取得した消費電力情報が示す消費電力のうち、過去のある期間における消費電力の変化の履歴を参照し、エアコン２００の使用に関するアドバイスを示すアドバイス情報を生成する。そして、アドバイス生成装置１００は、生成したアドバイス情報が示すアドバイスを、自装置、エアコン２００、テレビ５００、および携帯端末６００の少なくとも１つから報知する。なお、上述の「過去のある期間における消費電力の変化の履歴を参照」とは、「過去のある期間における消費電力の変化を参照」と同義である。
【００１７】
ここで、消費電力情報とは、各時点における消費電力を示す情報であってもよいし、所定の期間毎に消費電力を積算した消費電力量を示すものであってもよい。本明細書においては、アドバイス生成装置１００は、１５分を単位として消費電力を積算して得られる消費電力量を１５分毎に取得する構成を例に挙げて説明する。換言すると、アドバイス生成装置１００は、１５分毎に中継器４００に対し、消費電力情報を出力するよう要求する。そして、中継器４００は、当該要求に応じて、１５分を単位として消費電力を積算して得られる消費電力量を示す消費電力情報を、アドバイス生成装置１００に出力する。
【００１８】
なお、一般に、アドバイス生成装置１００は、Ｐ分（Ｐ＞０）を単位として消費電力を積算して得られる消費電力量をＰ分毎に取得する構成とすることができる。この構成の場合、以下の説明で現れる数「１５」を「Ｐ」に置き換えればよい。
【００１９】
また、エアコン２００の使用に関するアドバイスとは、より具体的には、エアコン２００が有する第１の動作モードおよび第１の動作モードよりも消費電力が大きい第２の動作モードの切り替えに関するアドバイスである。ここで、第１の動作モードとは、例えば、電源ＯＦＦ、風量が少ない、エアコン２００が冷房運転している場合は、設定温度が高い、エアコン２００が暖房運転している場合は、設定温度が低い、などの状態で動作している場合を指す。一方、第２の動作モードとは、例えば、電源ＯＮ、風量が多い、エアコン２００が冷房運転している場合は、設定温度が低い、エアコン２００が暖房運転している場合は、設定温度が高い、などの状態で動作している場合を指す。本実施形態では、エアコン２００が電源ＯＦＦ（第１の動作モード）であった期間を電源ＯＮ（第２の動作モード）で動作させていた場合に、消費電力がどのようになっていたかをアドバイスする。
【００２０】
また、エアコン２００の消費電力を測定し、消費電力情報を出力する装置は、消費電力測定タップ３００に限定されない。例えば、エアコン２００に接続することによりエアコン２００をネットワークに接続できるアダプタが、エアコン２００の消費電力を測定する機能を備え、当該アダプタが消費電力情報を出力する構成であってもよいし、エアコン２００が、自装置の消費電力を測定する機能を備えてもよい。
【００２１】
また、図１に示すアドバイス生成システム１では、中継器４００はエアコン２００が消費した電力を示す消費電力情報を取得しているが、中継器４００は、エアコン２００以外の電気機器が消費した電力を示す消費電力情報を取得する構成であってもよい。この場合、中継器４００は、各電気機器と、各電気機器が消費した電力を示す消費電力情報とを、それぞれ関連付けて保存する。
【００２２】
（アドバイス生成装置１００）
図２は、本発明の実施形態１におけるアドバイス生成装置１００の構成を示す図であり、（ａ）は、アドバイス生成装置１００の要部構成を示すブロック図である。アドバイス生成装置１００は、図２の（ａ）に示すように、アドバイス生成装置通信部１１０、アドバイス生成装置制御部１２０、画像表示部１４０、および音声出力部１５０を備えている。
【００２３】
アドバイス生成装置通信部１１０は、他の機器と情報の送受信をすることができる。
【００２４】
画像表示部１４０は、アドバイス生成装置制御部１２０から出力される画像信号が示す画像を表示する。
【００２５】
音声出力部１５０は、アドバイス生成装置制御部１２０から出力される音声信号が示す音声を出力する。
【００２６】
アドバイス生成装置制御部１２０は、アドバイス生成装置１００の各構成を統括的に制御するものである。アドバイス生成装置制御部１２０の詳細について、以下に説明する。
【００２７】
（アドバイス生成装置制御部１２０）
アドバイス生成装置制御部１２０は、図２の（ａ）に示すように、消費電力情報取得部（消費電力情報取得手段）１２１、差分電力量算出部（差分電力量算出手段）１２２、アドバイス生成部（生成手段）１２３、アドバイス情報出力部（アドバイス情報出力手段）１２４、報知部（報知手段）１２５、および電子掲示板管理部（管理手段）１２６としても機能する。
【００２８】
消費電力情報取得部１２１は、アドバイス生成装置通信部１１０を制御して、アドバイス生成装置通信部１１０が受信した消費電力情報を取得する。
【００２９】
差分電力量算出部１２２は、エアコン２００を第１の動作モードで第１の所定の期間動作させた場合の消費電力量と当該第１の所定の期間において基準となる第１の基準消費電力量との差分である第１の差分電力量、および、エアコン２００を第２の動作モードで第２の所定の期間動作させた場合の消費電力量と当該第２の所定の期間において基準となる第２の基準消費電力量との差分である第２の差分電力量を算出する。差分電力量算出部１２２の処理については、参照する図面を替えて後述する。
【００３０】
アドバイス生成部１２３は、差分電力量算出部１２２が算出した第１の差分電力量および第２の差分電力量を比較し、比較結果に応じたアドバイスを示すアドバイス情報を生成する。アドバイス生成部１２３の処理については、参照する図面を替えて後述する。
【００３１】
アドバイス情報出力部１２４は、アドバイス生成装置通信部１１０を制御して、アドバイス生成部１２３が生成したアドバイス情報を出力する。
【００３２】
報知部１２５は、画像表示部１４０および音声出力部１５０を制御して、アドバイス生成部１２３が生成したアドバイス情報が示すアドバイスを報知する。
【００３３】
電子掲示板管理部１２６は、電子掲示板を管理し、当該電子掲示板に関する情報を示す電子掲示板情報の出力、アドバイス生成部１２３が生成したアドバイス情報が示すアドバイスの当該電子掲示板への投稿、などを行う。
【００３４】
ここで、電子掲示板管理部１２６が管理する電子掲示板について説明する。本明細書において、電子掲示板とは、限定されたメンバー間での情報交換を目的としたネットワークサービスを意味している。メンバーは、例えば家族や近親者等のような一部に限定される。また、電子掲示板のグループには、家族や近親者などのメンバー（より具体的には、メンバーが使用する携帯端末）に加えて、電気機器の機器ＩＤを用いて当該電気機器を登録することができる。そして、電子掲示板のグループに登録されている電気機器の動作制御を、電子掲示板を通したメンバーからの指示に従って行うこともできるようになっている。なお、アドバイス生成装置１００は、電子掲示板管理部１２６を備えず、サーバ（不図示）が電子掲示板管理部１２６を備える構成であってもよい。
【００３５】
（アドバイス生成装置１００のハードウェア構成）
図２の（ｂ）は、アドバイス生成装置１００のハードウェア構成を示すブロック図である。アドバイス生成装置１００は、図２の（ｂ）に示すように、通信部１１００、制御部１２００、記憶部１３００、画像表示部１４００、および音声出力部１５００を備えている。
【００３６】
通信部１１００は、他の機器との通信を可能にするためのインターフェースであり、通信部１１００は、上述したアドバイス生成装置通信部１１０の機能を実現する。
【００３７】
記憶部１３００は、主記憶部および補助記憶部を備えている。記憶部１３００の主記憶部として利用可能なデバイスとしては、例えば、半導体ＲＡＭ（random access memory）を挙げることができる。また、記憶部１３００の補助記憶部として利用可能なデバイスとしては、例えば、ハードディスクドライブ（ＨＤＤ）を挙げることができ、補助記憶部には、アドバイス生成装置１００として動作させるための制御プログラムが保存されている。制御プログラムは、アドバイス生成装置制御部１２０の機能を実現するためのプログラムである。
【００３８】
制御部１２００は、記憶部１３００の主記憶上に制御プログラムを展開し、展開された制御プログラムに含まれる各種命令を実行することによって、上述したアドバイス生成装置制御部１２０の機能を実現する。制御部１２００として利用可能なデバイスとしては、ＣＰＵ（Central Processing Unit）を挙げることができる。
【００３９】
画像表示部１４００は、入力された画像信号が示す画像を表示するデバイスであり、例えば、バックライトを有した透過型の液晶パネル、有機ＥＬディスプレイが挙げられる。画像表示部１４００は、上述した画像表示部１４０の機能を実現する。
【００４０】
音声出力部１５００は、入力された音声信号が示す音声を出力するデバイスであり、例えばスピーカが挙げられる。音声出力部１５００は、上述した音声出力部１５０の機能を実現する。
【００４１】
（エアコン２００）
図３は、本発明の実施形態１におけるエアコン２００、消費電力測定タップ３００、および中継器４００の構成を示す図であり、（ａ）は、エアコン２００の要部構成を示すブロック図である。エアコン２００は、図３の（ａ）に示すように、エアコン通信部２１０、エアコン制御部２２０、画像表示部２４０、音声出力部２５０、および赤外線信号受信部２６０を含んでいる。
【００４２】
エアコン通信部２１０は、他の機器と情報の送受信をすることができる。
【００４３】
画像表示部２４０は、エアコン制御部２２０から出力される画像信号が示す画像を表示する。
【００４４】
音声出力部２５０は、エアコン制御部２２０から出力される音声信号が示す音声を出力する。
【００４５】
赤外線信号受信部２６０は、エアコン２００のリモートコントローラ（不図示）からエアコン２００に対する操作を示す赤外線信号を受信し、当該操作を示す操作信号を出力する。
【００４６】
エアコン制御部２２０は、エアコン２００の各構成を統括的に制御するものである。エアコン制御部２２０の詳細について、以下に説明する。
【００４７】
（エアコン制御部２２０）
エアコン制御部２２０は、図３の（ａ）に示すように、アドバイス情報取得部２２１、報知部２２２、操作受付部２２３、および動作モード切替部２２４としても機能する。
【００４８】
アドバイス情報取得部２２１は、エアコン通信部２１０を制御して、エアコン通信部２１０が受信したアドバイス情報を取得する。
【００４９】
報知部２２２は、画像表示部２４０および音声出力部２５０を制御して、取得したアドバイス情報が示すアドバイスを報知する。
【００５０】
操作受付部２２３は、赤外線信号受信部２６０から出力される操作信号を取得し、当該操作信号が示す操作を受け付ける。また、操作受付部２２３は、エアコン通信部２１０を制御して、当該操作信号を出力する。
【００５１】
動作モード切替部２２４は、エアコン２００の動作モードを第１の動作モードまたは第２の動作モードへ切り替える。
【００５２】
（消費電力測定タップ３００）
図３の（ｂ）は、消費電力測定タップ３００の要部構成を示すブロック図である。消費電力測定タップ３００は、図３の（ｂ）に示すように、消費電力測定タップ通信部３１０および消費電力測定タップ制御部３２０を備えている。
【００５３】
消費電力測定タップ通信部３１０は、他の機器と情報の送受信をすることができる。
【００５４】
消費電力測定タップ制御部３２０は、消費電力測定タップ３００の各構成を統括的に制御するものである。消費電力測定タップ制御部３２０の詳細について、以下に説明する。
【００５５】
（消費電力測定タップ制御部３２０）
消費電力測定タップ制御部３２０は、図３の（ｂ）に示すように、消費電力計測部３２１および消費電力情報出力部３２２としても機能する。
【００５６】
消費電力計測部３２１は、エアコン２００が消費した電力を計測する。
【００５７】
消費電力情報出力部３２２は、消費電力測定タップ通信部３１０を制御して、消費電力計測部３２１が計測した消費電力を示す消費電力情報を出力する。
【００５８】
（中継器４００）
図３の（ｃ）は、中継器４００の要部構成を示すブロック図である。中継器４００は、図３の（ｃ）に示すように、中継器通信部４１０および中継器制御部４２０を備えている。
【００５９】
中継器通信部４１０は、他の機器と情報の送受信をすることができる。
【００６０】
中継器制御部４２０は、中継器４００の各構成を統括的に制御するものである。中継器制御部４２０の詳細について、以下に説明する。
【００６１】
（中継器制御部４２０）
中継器制御部４２０は、図３の（ｃ）に示すように、情報取得部４２１および情報出力部４２２としても機能する。
【００６２】
情報取得部４２１は、中継器通信部４１０を制御して、中継器通信部４１０が受信した情報を取得する。
【００６３】
情報出力部４２２は、中継器通信部４１０を制御して、取得した情報を出力する。
【００６４】
（テレビ５００）
図４は、本発明の実施形態１におけるテレビ５００および携帯端末６００の構成を示す図であり、（ａ）は、テレビ５００の要部構成を示すブロック図である。テレビ５００は、図４の（ａ）に示すように、テレビ通信部５１０、テレビ制御部５２０、画像表示部５４０、および音声出力部５５０を備えている。
【００６５】
テレビ通信部５１０は、他の機器と情報の送受信をすることができる。
【００６６】
画像表示部５４０は、テレビ制御部５２０から出力される画像信号が示す画像を表示する。
【００６７】
音声出力部５５０は、テレビ制御部５２０から出力される音声信号が示す音声を出力する。
【００６８】
テレビ制御部５２０は、テレビ５００の各構成を統括的に制御するものである。テレビ制御部５２０の詳細について、以下に説明する。
【００６９】
（テレビ制御部５２０）
テレビ制御部５２０は、図４の（ａ）に示すように、アドバイス情報取得部５２１および報知部５２２としても機能する。
【００７０】
アドバイス情報取得部５２１は、テレビ通信部５１０を制御して、テレビ通信部５１０が受信したアドバイス情報を取得する。
【００７１】
報知部５２２は、画像表示部５４０および音声出力部５５０を制御して、取得したアドバイス情報が示すアドバイスを報知する。
【００７２】
（携帯端末６００）
図４の（ｂ）は、携帯端末６００の要部構成を示すブロック図である。携帯端末６００は、図４の（ｂ）に示すように、携帯端末通信部６１０、携帯端末制御部６２０、タッチパネル式画像表示部６４０、音声出力部６５０、およびバイブレーション部６６０を備えている。
【００７３】
携帯端末通信部６１０は、他の機器と情報の送受信をすることができる。
【００７４】
タッチパネル式画像表示部６４０は、携帯端末制御部６２０から出力される画像信号が示す画像を表示する。また、タッチパネル式画像表示部６４０は、接触を検出するセンサを備えており、ユーザから受け付けた操作を操作信号に変換し、出力する。
【００７５】
音声出力部６５０は、携帯端末制御部６２０から出力される音声信号が示す音声を出力する。
【００７６】
バイブレーション部６６０は、携帯端末制御部６２０の制御によって、携帯端末６００を振動させる。
【００７７】
携帯端末制御部６２０は、携帯端末６００の各構成を統括的に制御するものである。携帯端末制御部６２０の詳細について、以下に説明する。
【００７８】
（携帯端末制御部６２０）
携帯端末制御部６２０は、図４の（ｂ）に示すように、アドバイス情報取得部６２１、報知部６２２、および電子掲示板情報制御部６２３としても機能する。
【００７９】
アドバイス情報取得部６２１は、携帯端末通信部６１０を制御して、携帯端末通信部６１０が受信したアドバイス情報を取得する。
【００８０】
報知部６２２は、タッチパネル式画像表示部６４０、音声出力部６５０、およびバイブレーション部６６０を制御して、取得したアドバイス情報が示すアドバイスを報知する。
【００８１】
電子掲示板情報制御部６２３は、携帯端末通信部６１０を制御し、携帯端末通信部６１０が受信した電子掲示板情報を取得する。また、電子掲示板情報制御部６２３は、取得した電子掲示板情報を参照し、当該電子掲示板情報が示す電子掲示板を示す画像信号をタッチパネル式画像表示部６４０に出力する。また、電子掲示板情報制御部６２３は、タッチパネル式画像表示部６４０から操作信号を取得し、当該操作信号を出力する。
【００８２】
（エアコン２００の消費電力の変化）
図５は、本発明の実施形態１におけるアドバイス生成装置１００が取得した消費電力情報が示すエアコン２００の消費電力量の変化を示すグラフの一例である。エアコン２００の消費電力量の変化について、図５を用いて説明する。なお、本説明では、エアコン２００が冷房運転している場合について説明しているが、暖房運転している場合についても消費電力量の変化については同様である。
【００８３】
まず、エアコン２００の電源がＯＮになると（時刻ａ１）、設定された温度まで部屋を冷やすため、エアコン２００の消費電力は大きくなる。次に、エアコン２００は設定された温度まで部屋を冷やすと（時刻ｂ１）、当該設定された温度を保つための最低限の消費電力で動作するため、エアコン２００の消費電力は小さくなる。そして、エアコン２００は、電源がＯＦＦになると（時刻ｃ１）、消費電力はさらに小さくなる。続いて、再びエアコン２００の電源がＯＮになると（時刻ａ２）、エアコン２００は再び設定された温度まで部屋を冷やすため、上述した時刻ａ１からｂ１の期間と同様、エアコン２００の消費電力は大きくなる。そして、エアコン２００は設定された温度まで冷やすと（時刻ｂ２）、エアコン２００の消費電力は小さくなる。
【００８４】
以下、時刻ａ１から時刻ｂ１までの期間を、フルパワーフェーズと称し、時刻ｂ１から時刻ｃ１までの期間を、低電力フェーズと称する。
【００８５】
（アドバイス生成装置１００の処理の流れ）
図６は、本発明の実施形態１におけるアドバイス生成装置１００の処理の流れ（アドバイス生成方法）を示すフローチャートである。アドバイス生成装置１００の処理の流れについて、図６を用いて説明する。
【００８６】
（ステップＳ１、消費電力情報取得工程）
まず、アドバイス生成装置１００の消費電力情報取得部１２１は、アドバイス生成装置通信部１１０を介して、消費電力情報を取得する。上述したように、消費電力情報取得部１２１が取得する消費電力情報は、１５分を単位として消費電力を積算して得られる消費電力量を示す。そして、消費電力情報取得部１２１は、取得した消費電力情報を、アドバイス生成部１２３に出力する。
【００８７】
（ステップＳ２）
アドバイス生成部１２３は、取得した消費電力情報を参照し、消費電力の所定の変化を検出したか否かを判定する。本実施形態において、ステップＳ２における所定の変化とは、エアコン２００の電源がＯＮからＯＦＦに切り替わり、その後、エアコン２００の電源がＯＦＦからＯＮに切り替わり、フルパワーフェーズになり、低電力フェーズに変化することである。
【００８８】
ここで、アドバイス生成部１２３が、エアコン２００の電源がＯＦＦからＯＮに切り替わり、フルパワーフェーズになり、その後、低電力フェーズになる消費電力の変化を検出する方法の一例について、説明する。
【００８９】
まず、アドバイス生成部１２３は、取得した消費電力情報が示す消費電力量が第１の閾値（例えば、５Ｗｈ）以下の場合、エアコン２００は電源ＯＦＦであると判定する。そして、アドバイス生成部１２３は、取得した消費電力情報が示す消費電力量が第１の閾値を超えた場合、エアコン２００は電源ＯＮであると判定する。さらに、アドバイス生成部１２３は、取得した消費電力情報が示す消費電力量が第２の閾値（例えば、８０Ｗｈ）を超えた場合、エアコン２００はフルパワーフェーズであると判定する。続いて、アドバイス生成部１２３は、取得した消費電力情報が示す消費電力が第２の閾値以下であり、第３の閾値（例えば、２０Ｗｈ）以上であり、かつ、所定の期間（例えば、３０分）以上、第２の閾値以下であり第３の閾値以上であった場合、エアコン２００は低電力フェーズであると判定する。
【００９０】
ステップＳ２において、消費電力の所定の変化を検出していないと判定された場合（ステップＳ２：ＮＯ）、アドバイス生成装置１００は、再び消費電力情報を取得するため、ステップＳ１に戻る。
【００９１】
（ステップＳ３、生成工程）
一方、ステップＳ２において、消費電力の所定の変化を検出したと判定された場合（ステップＳ３：ＹＥＳ）、アドバイス生成部１２３は、第１の差分電力量と第２の差分電力量とを比較するため、差分電力量算出部１２２に対して、第１の差分電力量と第２の差分電力量とを算出するよう指示する。差分電力量算出部１２２は、当該指示を受け付けると、第１の差分電力量と第２の差分電力量とを算出する。ここで、差分電力量算出部１２２が算出する第１の差分電力量と第２の差分電力量とについて、図７を用いて説明する。図７は、本発明の実施形態１におけるアドバイス生成装置１００が取得した消費電力情報が示すエアコン２００の消費電力量の変化を示すグラフの一例である。
【００９２】
まず、図７に示すグラフにおいて、エアコン２００が電源ＯＦＦであった期間は、時刻ｃ１から時刻ａ２の期間（第１の所定の期間、第１動作モード期間、以下、期間Ｄ１と称する）である。そのため、差分電力量算出部１２２は、期間Ｄ１において、エアコン２００が電源ＯＮで動作していた場合の消費電力量（第１の基準消費電力量）と、エアコン２００の実測された消費電力量との差分を、第１の差分電力量として算出する。ここで、時刻ｃ１においてエアコン２００を電源ＯＦＦにしなかった場合、期間Ｄ１におけるエアコン２００の消費電力は、時刻ｂ１から時刻ｃ１の期間（すなわち、低電力フェーズ）における消費電力と同じ消費電力で動作したとする。また、低電力フェーズにおいて取得した消費電力量をＢ１とする。また、また、時刻ｃ１から時刻ａ２の期間におけるエアコン２００の実測された消費電力量は、エアコン２００は電源ＯＦＦのため、０Ｗｈとする。
【００９３】
以上より、差分電力量算出部１２２が算出する第１の差分電力量は、式（Ｂ１×Ｄ１／１５）によって算出される。換言すると、差分電力量算出部１２２は、図７における領域Ｙ１の面積を１５で割った商を第１の差分電力量として算出すると言い換えることもできる。
【００９４】
続いて、図７に示すグラフにおいて、エアコン２００が期間Ｄ１を電源ＯＮで動作した場合、フルパワーフェーズである時刻ａ２から時刻ｂ２の期間（第２の所定の期間、第２動作モード期間、以下、期間Ｃ１と称する）は、低電力フェーズとなる。そのため、期間Ｃ１において、エアコン２００が低電力フェーズで動作していた場合の消費電力量（第２の基準消費電力量）と、エアコン２００の実測された消費電力量との差分を、第２の差分電力量として算出する。ここで、期間Ｃ１において、エアコン２００の実測された消費電力量を消費電力量Ａ１とする。
【００９５】
以上より、差分電力量算出部１２２が算出する第２の差分電力量は、式｛Ａ１−（Ｂ１×Ｃ１／１５）｝によって算出される。換言すると、差分電力量算出部１２２は、図７における領域Ｘ１の面積を１５で割った商を第２の差分電力量として算出すると言い換えることもできる。
【００９６】
なお、時刻ｃ１および時刻ａ２において、グラフの斜め（立ち上がり、立ち下り）の部分は無視できる誤差であるとしているため、当該斜めの部分の面積は算出していないが、当該斜めの部分の面積を算出した値を用いる構成であってもよい。この構成は、他の実施形態においても同様である。
【００９７】
続いて、アドバイス生成部１２３は、差分電力量算出部１２２が算出した第１の差分電力量と第２の差分電力量とを比較する。第１の差分電力量が第２の差分電力量より少ない場合、換言すると、領域Ｙ１の面積を１５で割った商が領域Ｘ１の面積を１５で割った商より小さい場合（すなわち、領域Ｙ１の面積が領域Ｘ１の面積より小さい場合）、アドバイス生成部１２３は、「電源ＯＦＦしていた期間では電源ＯＮしていた方が消費電力量は少なかったこと」を示すアドバイス情報を生成する。一方、第１の差分電力量が第２の差分電力量より多い場合、換言すると、領域Ｙ１の面積を１５で割った商が領域Ｘ１の面積を１５で割った商より大きい場合（すなわち、領域Ｙ１の面積が領域Ｘ１の面積より大きい場合）、アドバイス生成部１２３は、「電源ＯＦＦしていた期間では電源ＯＮしていなかったので消費電力量が少なかったこと」を示すアドバイス情報を生成する。
【００９８】
（ステップＳ４）
アドバイス生成部１２３は、アドバイス情報を生成すると、当該アドバイス情報をアドバイス情報出力部１２４、報知部１２５、および電子掲示板管理部１２６の少なくとも何れかに出力する。まず、報知部１２５がアドバイス情報を取得した場合について、図８を用いて説明する。図８は、本発明の実施形態１におけるアドバイス生成装置１００がアドバイスを報知する例を示す図であり、（ａ）は、アドバイスを報知する一例であり、（ｂ）は、アドバイスを報知する他の例であり、（ｃ）は、アドバイスを報知するさらに他の例であり、（ｄ）は、アドバイスを報知するさらに他の例である。
【００９９】
例えば、報知部１２５が取得したアドバイス情報が、「電源ＯＦＦしていた期間では電源ＯＮしていた方が消費電力量は少なかったこと」を示すアドバイス情報であった場合、図８の（ａ）に示すように、電源ＯＦＦしていた期間（１２：００〜１２：４５）では電源ＯＮしていた方が消費電力量は少なかったことを示すテキスト７０１を含む画像を、画像表示部１４０に表示する。なお、報知部１２５は、取得したアドバイス情報が示すアドバイスを、音声出力部１５０から音声にて出力させる構成であってもよく、この構成は以下に説明する他の例においても同様である。
【０１００】
また、アドバイス生成部１２３は、生成するアドバイス情報に、第１の差分電力量と第２の差分電力量との差分を示す差分情報を含めてもよい。例えば、第１の差分電力量と第２の差分電力量との差分が８０Ｗｈであった場合、アドバイス生成部１２３は、第１の差分電力量と第２の差分電力量との差分である８０Ｗｈを示す差分情報を含めたアドバイス情報を生成する。そして、報知部１２５は、図８の（ａ）に示すように、当該差分情報が示す差分８０Ｗｈを含むテキスト７０１を含む画像を、画像表示部１４０に表示する構成であってもよい。
【０１０１】
また、アドバイス生成装置１００は、画像表示部１４０に替えてタッチパネル式画像表示部を備え、エアコン２００を制御するための操作指示を受け付け、受け付けた操作を示す制御信号を出力する制御操作受付部（受付手段）および制御操作受付部から出力された制御信号を、アドバイス生成装置通信部１１０を介してエアコン２００に出力する制御信号出力部をさらに備える構成であってもよい。この場合、図８の（ａ）に示すように、タッチパネル式画像表示部は、エアコン２００の電源をＯＮする旨の指示を受け付けるＯＮボタン８０１およびエアコン２００の電源をＯＦＦする旨の指示を受け付けるＯＦＦボタン８０２を含む画像を表示する構成であってもよい。この状態において、例えば、タッチパネル式画像表示部がＯＮボタン８０１に対する接触を検出した場合、制御操作受付部は、エアコン２００の電源をＯＮするための制御信号を、制御信号出力部に出力する。制御信号出力部は、取得した制御信号を、アドバイス生成装置通信部１１０を介してエアコン２００に出力する。こうすることにより、アドバイス生成装置１００は、提示したアドバイスを参照したユーザに、当該アドバイスに沿ったエアコン２００の使い方をすぐに実行させることができる。
【０１０２】
また、他の例として、報知部１２５が取得したアドバイス情報が、「電源ＯＦＦしていた期間では電源ＯＮしていなかったので消費電力量が少なかったこと」を示すアドバイス情報であった場合、図８の（ｂ）に示すように、電源ＯＦＦしていた期間（１２：００〜１２：４５）は、電源ＯＮしていなかったので消費電力量が少なかったことを示すテキスト７０２を含む画像を、画像表示部１４０に表示する。
【０１０３】
また、他の例として、アドバイス生成部１２３は、エアコン２００の電源がＯＮになった時点で、アドバイス情報を生成してもよい。例えば、図５に示すグラフにおいて、時刻ａ２の時点で、アドバイス生成部１２３はエアコン２００の電源がＯＮになったことを検知すると、アドバイス情報を生成する。換言すると、アドバイス生成部１２３は、「時刻ａ２の時点までエアコン２００の電源がＯＦＦになっていた期間に関するアドバイス」を示すアドバイス情報を生成する。なお、アドバイス生成部１２３がエアコン２００の電源がＯＮになったことを検知する方法の例として、上述した制御操作受付部を備える場合は、制御操作受付部がエアコン２００の電源をＯＮする操作を受け付けた場合に、アドバイス生成部１２３はエアコン２００の電源がＯＮになったことを検知する方法が挙げられる。他の例として、エアコン２００の操作受付部２２３が出力する操作信号を取得し、当該操作信号がエアコン２００の電源をＯＮにすることを示す場合に、アドバイス生成部１２３はエアコン２００の電源がＯＮになったことを検知する方法が挙げられる。
【０１０４】
また、アドバイス生成部１２３は、時刻ａ２の時点で、これからアドバイスを生成することを示すアドバイス情報を生成してもよい。報知部１２５は、当該アドバイス情報を取得すると、例えば、図８の（ｃ）に示すように、アドバイス生成装置１００はこれからアドバイスを生成することを示すテキスト７０３を含む画像を、画像表示部１４０に表示する。そして、アドバイス生成部１２３がアドバイス情報を生成すると、図８の（ｄ）に示すように、報知部１２５は、アドバイス生成部１２３によって生成されたアドバイスを示すテキスト７０４を含む画像を、画像表示部１４０に表示する。
【０１０５】
続いて、アドバイス情報出力部１２４がアドバイス情報を取得した場合について、図９の（ａ）および（ｂ）を用いて説明する。図９は、本発明の実施形態１においてエアコン２００、テレビ５００、および携帯端末６００がアドバイスを報知する例を示す図であり、（ａ）は、エアコン２００がアドバイスを報知する例であり、（ｂ）は、テレビ５００がアドバイスを報知する例である。
【０１０６】
アドバイス情報出力部１２４は、アドバイス情報を取得すると、アドバイス生成装置通信部１１０を介して、中継器４００、テレビ５００、および携帯端末６００の少なくとも何れかに出力する。
【０１０７】
アドバイス情報出力部１２４が中継器４００にアドバイス情報を出力した場合、中継器４００の情報取得部４２１は、中継器通信部４１０を介して当該アドバイス情報を取得する。そして、情報取得部４２１は、取得したアドバイス情報を、情報出力部４２２に出力する。情報出力部４２２は、取得したアドバイス情報を、中継器通信部４１０を介して、エアコン２００に出力する。エアコン２００のアドバイス情報取得部２２１は、エアコン通信部２１０を介してアドバイス情報を取得し、取得したアドバイス情報を報知部２２２に出力する。例えば、報知部２２２が取得したアドバイス情報が、「電源ＯＦＦしていた期間では電源ＯＮしていた方が消費電力量は少なかったこと」を示すアドバイス情報であった場合、図９の（ａ）に示すように、電源ＯＦＦしていた期間（１２：００〜１２：４５）では電源ＯＮしていた方が消費電力量は少なかったことを示す音声を、音声出力部２５０から出力させる。なお、報知部２２２は、取得したアドバイス情報が示すアドバイスを、画像表示部２４０に表示する構成であってもよい。
【０１０８】
また、中継器４００が複数の電気機器から消費電力情報を取得する場合、アドバイス情報出力部１２４は、参照した消費電力情報が示す消費電力を消費した電気機器にアドバイス情報を出力するように、中継器４００に対してアドバイス情報を出力してもよい。例えば、中継器４００がエアコン２００とエアコン２００ａとから消費電力情報を取得する場合、アドバイス情報出力部１２４は、エアコン２００が出力した消費電力情報を参照して生成されたアドバイス情報に、当該アドバイス情報の出力先であるエアコン２００を示す電気機器情報を含め、中継器４００に出力する。そして、中継器４００は、取得したアドバイス情報に含まれる電気機器情報を参照し、取得したアドバイス情報を当該電気機器情報が示すエアコン２００に出力する。この場合、エアコン２００は、図９の（ａ）に示すように、エアコン２００に対するアドバイスであること（エアコンＡをＯＦＦにしていましたが・・・）を含むアドバイスを報知する。
【０１０９】
また、アドバイス情報出力部１２４がテレビ５００にアドバイス情報を出力した場合、テレビ５００のアドバイス情報取得部５２１は、テレビ通信部５１０を介してアドバイス情報を取得する。そして、アドバイス情報取得部５２１は、取得したアドバイス情報を報知部５２２に出力する。例えば、報知部５２２が取得したアドバイス情報が、「電源ＯＦＦしていた期間では電源ＯＮしていた方が消費電力量は少なかったこと」を示すアドバイス情報であった場合、図９の（ｂ）に示すように、電源ＯＦＦしていた期間（１２：００〜１２：４５）では電源ＯＮしていた方が消費電力量は少なかったことを示すテキスト７０５を含む画像を、画像表示部５４０に表示する。なお、報知部５２２は、取得したアドバイス情報が示すアドバイスを、音声出力部５５０から音声にて出力させる構成であってもよい。
【０１１０】
また、アドバイス情報出力部１２４が携帯端末６００にアドバイス情報を出力した場合、携帯端末６００のアドバイス情報取得部６２１は、携帯端末通信部６１０を介してアドバイス情報を取得する。そして、アドバイス情報取得部６２１は、取得したアドバイス情報を報知部６２２に出力する。報知部６２２は、タッチパネル式画像表示部６４０、音声出力部６５０、およびバイブレーション部６６０の少なくとも何れかを制御することにより、アドバイスを報知する。
【０１１１】
続いて、電子掲示板管理部１２６がアドバイス情報を取得した場合について、図９の（ｃ）を用いて説明する。図９の（ｃ）は、携帯端末６００がアドバイスを報知する例である。
【０１１２】
電子掲示板管理部１２６は、アドバイス情報を取得すると、当該アドバイス情報が示すアドバイスを電子掲示板に投稿する。そして、電子掲示板管理部１２６は、アドバイス生成装置通信部１１０を介して、電子掲示板情報を携帯端末６００に出力する。なお、電子掲示板管理部１２６は、携帯端末６００から電子掲示板情報を出力する要求を受け付けた場合に、電子掲示板情報を出力する構成であってもよい。
【０１１３】
携帯端末６００の電子掲示板情報制御部６２３は、携帯端末通信部６１０を介して、電子掲示板情報を取得する。そして、電子掲示板情報制御部６２３は、取得した電子掲示板情報が示す投稿を、タッチパネル式画像表示部６４０に出力する。例えば、取得した電子掲示板情報が示す投稿が、アドバイスの表示を要求する母からの投稿と、アドバイス生成装置１００からのアドバイスを示す投稿とを含んでいた場合、図９の（ｃ）に示すように、電子掲示板情報制御部６２３は、アドバイスの表示を要求する母からの投稿を示すテキスト７０６と、アドバイス生成装置１００からのアドバイスを示す投稿を示すテキスト７０７を含む画像を、タッチパネル式画像表示部６４０に表示する。また、図９の（ｃ）に示すように、電子掲示板情報制御部６２３は、上述したＯＮボタン８０１およびＯＦＦボタン８０２を含む画像を、タッチパネル式画像表示部６４０に表示する構成であってもよい。
【０１１４】
このように、本実施形態に係るアドバイス生成システム１では、アドバイス生成装置１００は、エアコン２００が消費した電力を示す消費電力情報を取得し、当該消費電力情報が示す消費電力のうち、エアコン２００を第１の動作モード（電源ＯＦＦ）で第１の所定の期間（期間Ｄ１）動作させた場合の消費電力量と、当該第１の所定の期間において基準となる第１の基準消費電力量（期間Ｄ１において、エアコン２００が電源ＯＮで動作していた場合の消費電力量）との差分である第１の差分電力量を算出する。また、アドバイス生成装置１００は、エアコン２００を第２の動作モード（電源ＯＮ）で第２の所定の期間（期間Ｃ１）動作させた場合の消費電力量と、当該第２の所定の期間において基準となる第２の基準消費電力量（期間Ｃ１において、エアコン２００が低電力フェーズで動作していた場合の消費電力量）との差分である第２の差分電力量を算出する。そして、アドバイス生成装置１００は、第１の差分電力量および第２の差分電力量を比較し、比較結果に応じたアドバイス情報を生成する。そのため、アドバイス生成装置１００は、電気機器の使用態様を鑑みたより適切なアドバイスを提供することができる。
【０１１５】
また、アドバイス生成装置１００は、第１の差分電力量が第２の差分電力量より少ない場合に、「第１動作モード期間（期間Ｄ１）では第２の動作モード（電源ＯＮ）で動作させた方が消費電力量は少なかったこと」を示すアドバイス情報を生成する。換言すると、アドバイス生成装置１００は、所定の期間（期間Ｄ１）において、第１の動作モード（電源ＯＦＦ）で動作させるよりも、第１の動作モードより消費電力が大きい第２の動作モード（電源ＯＮ）で動作させる方が、全体的な消費電力量が少なくなる旨のアドバイスを生成する。そのため、アドバイス生成装置１００は、電源をＯＦＦするよりも、電源をＯＮし続けた方が全体として消費電力量が少なくなる場合があることを、ユーザに報知することができる。
【０１１６】
なお、アドバイス生成装置１００は、生成するアドバイスの精度を上げるため、図６に示したステップＳ２において、以下の条件を加えてもよい。
【０１１７】
・期間Ｄ１が所定の期間（例えば、２時間）より長い
・期間Ｃ１が所定の期間（例えば、４時間）より長い
例えば、期間Ｄ１が長い場合、外部環境の変化により誤差が大きくなるため、期間Ｄ１が所定の期間より長い場合は、消費電力の所定の変化ではないとして、アドバイス生成装置１００はアドバイス情報を生成しない構成であってもよい。同様に、期間Ｃ１が長い場合、外部環境の変化により誤差が大きくなるため、期間Ｃ１が所定の期間より長い場合は、消費電力の所定の変化ではないとして、アドバイス生成装置１００はアドバイス情報を生成しない構成であってもよい。
【０１１８】
〔実施形態２〕
本発明の他の実施形態について、図１０〜図１３に基づいて説明すれば、以下のとおりである。なお、説明の便宜上、前記実施形態にて説明した部材と同じ機能を有する部材については、同じ符号を付記し、その説明を省略する。
【０１１９】
実施形態１に係るアドバイス生成システム１では、エアコン２００が電源ＯＦＦであった期間を電源ＯＮで動作させていた場合に、消費電力がどのようになっていたかをアドバイスしたが、実施形態２に係るアドバイス生成システム１ａでは、これからエアコン２００を電源ＯＮで動作させた方がいいのか、それとも電源ＯＦＦにした方がいいのか、をアドバイスする。
【０１２０】
（アドバイス生成システム１ａ）
アドバイス生成システム１ａは、実施形態１に係るアドバイス生成システム１におけるアドバイス生成装置１００に替えて、アドバイス生成装置１００ａを備えている。
【０１２１】
（アドバイス生成装置１００ａ）
図１０は、本発明の実施形態２におけるアドバイス生成装置１００ａの要部構成を示すブロック図である。アドバイス生成装置１００ａは、図１０に示すように、実施形態１におけるアドバイス生成装置１００のアドバイス生成装置制御部１２０に替えて、アドバイス生成装置制御部１２０ａを備えている。また、アドバイス生成装置制御部１２０ａは、図１０に示すように、実施形態１におけるアドバイス生成装置制御部１２０に加えて、制御対象期間算出部（制御対象期間算出手段）１２７としても機能する。
【０１２２】
制御対象期間算出部１２７は、消費電力情報取得部１２１が取得した消費電力情報を参照して、アドバイス生成システム１ａにおいて制御される対象の期間である制御対象期間であって、エアコン２００の電源をＯＦＦにするよりも、電源ＯＮで動作させた方が、全体的な消費電力量が少なくなる制御対象期間を算出する。より具体的には、差分電力量算出部１２２が算出した第１の差分電力量と第２の差分電力量とが等しくなるための制御対象期間を算出する。制御対象期間算出部１２７の処理の詳細については、参照する図面を替えて後述する。
【０１２３】
なお、「全体的な消費電力」とは、上記制御対象期間と、制御対象期間の終了後の所定の期間とを含む期間における消費電力のことを指す。制御対象期間とは、例えば後述する期間Ｔのことを指し、所定の期間とは、例えば図１１におけるａ４からｂ４までの期間のことを指す。
【０１２４】
（エアコン２００の消費電力の変化）
図１１は、本発明の実施形態２におけるエアコン２００の消費電力量の変化を示すグラフであり、（ａ）は、エアコン２００の消費電力量の変化の一例を示すグラフであり、（ｂ）は、エアコン２００の消費電力量の変化の他の例を示すグラフである。エアコン２００の消費電力量の変化について、図１１を用いて説明する。
【０１２５】
図１１に示すグラフにおいて、時刻ｄが現時点であり、時刻ｄ以降のエアコン２００の消費電力量は、まだ測定されていない。ここで、図１１の（ａ）に示すグラフは、時刻ｄ以降の時刻ｃ３において、エアコン２００の電源がＯＦＦになり、さらにその後の時刻ａ４において電源がＯＮになった場合に想定されるグラフである。図１１の（ａ）に示すように、時刻ａ４において電源がＯＮになると、フルパワーフェーズとなり、時刻ｂ４において低電力フェーズになり、時刻ｃ４において、再びエアコン２００の電源がＯＦＦになっている。一方、図１１の（ｂ）に示すグラフは、時刻ｄ以降もエアコン２００は電源ＯＮであるため低電力フェーズが続いており、時刻ｃ４において、エアコン２００の電源がＯＦＦになっている。
【０１２６】
（アドバイス生成装置１００ａの処理の流れ）
アドバイス生成装置１００ａの処理の流れについて、図６を用いて説明する。まず、アドバイス生成装置１００ａの消費電力情報取得部１２１が消費電力情報を取得するステップＳ１の処理（消費電力情報取得工程）については、上述した内容と同じであるため、詳細な説明を省略する。
【０１２７】
（ステップＳ２）
続いて、アドバイス生成部１２３は、取得した消費電力情報を参照し、消費電力の所定の変化を検出したか否かを判定する。本実施形態において、ステップＳ２における所定の変化とは、エアコン２００の電源がＯＦＦからＯＮに切り替わり、フルパワーフェーズになり、低電力フェーズに変化することである。
【０１２８】
ステップＳ２において、消費電力の所定の変化を検出していないと判定された場合（ステップＳ２：ＮＯ）、アドバイス生成装置１００は、再び消費電力情報を取得するため、ステップＳ１に戻る。
【０１２９】
（ステップＳ３、生成工程）
一方、ステップＳ２において、消費電力の所定の変化を検出したと判定された場合（ステップＳ３：ＹＥＳ）、アドバイス生成部１２３は、アドバイス情報を生成するため、差分電力量算出部１２２に対して、第１の差分電力量と第２の差分電力量とを算出するよう指示する。差分電力量算出部１２２は、当該指示を受け付けると、第１の差分電力量と第２の差分電力量とを算出する。ここで、差分電力量算出部１２２が算出する第１の差分電力量と第２の差分電力量とについて、図１２を用いて説明する。図１２は、本発明の実施形態２におけるアドバイス生成装置１００ａが取得した消費電力情報が示すエアコンの消費電力量の変化を示すグラフの一例である。
【０１３０】
まず、図１２に示すグラフにおいて、エアコン２００を電源ＯＦＦで期間Ｔ（第１の所定の期間）動作させた場合の消費電力量と、エアコン２００を低電力フェーズで期間Ｔ動作させた場合の消費電力量（第１の基準消費電力量）との差分である第１の差分電力量を算出する。ここで、低電力フェーズにおいて取得した消費電力量をＢ２とし、エアコン２００を電源ＯＦＦで期間Ｔ動作させた場合の消費電力量は、０Ｗｈとする。
【０１３１】
以上より、差分電力量算出部１２２が算出する第１の差分電力量は、式（Ｂ２×Ｔ／１５）によって算出される。換言すると、差分電力量算出部１２２は、図１２における領域Ｙ２の面積を１５で割った商を第１の差分電力量として算出すると言い換えることもできる。
【０１３２】
続いて、図１１の（ａ）に示すグラフにおいて、時刻ａ４から時刻ｂ４の期間において、エアコン２００が低電力フェーズで動作していた場合の消費電力量と、エアコン２００の実際に消費される消費電力量との差分を、第２の差分電力量として算出する。ここで、時刻ａ４から時刻ｂ４の期間において実際に消費される消費電力量は、時刻ａ３から時刻ｂ３の期間（第２の所定期間、第２動作モード期間、以下、期間Ｃ２と称する）において実測された消費電力量（以下、消費電力量Ａ２）と等しいとする。
【０１３３】
以上より、差分電力量算出部１２２が算出する第２の差分電力量は、式｛Ａ２−（Ｂ２×Ｃ２／１５）｝によって算出される。換言すると、差分電力量算出部１２２は、図１２における領域Ｘ２を１５で割った商を第２の差分電力量として算出すると言い換えることもできる。
【０１３４】
次に、制御対象期間算出部１２７が制御対象期間を算出する方法について説明する。上述したように、制御対象期間とは、エアコン２００を電源ＯＮにした方が、電源ＯＦＦにするよりも全体的な消費電力量が少なくなる期間である。換言すると、差分電力量算出部１２２が算出した第１の差分電力量が、第２の差分電力量以下になるような期間である。したがって、まず、制御対象期間算出部１２７は、第１の差分電力量と第２の差分電力量とが等しくなる期間を算出するため、（Ｂ２×Ｔ／１５）＝｛Ａ２−（Ｂ２×Ｃ２／１５）｝を満足するＴを算出する。すなわち、制御対象期間算出部１２７は、Ｔ＝［｛Ａ２−（Ｂ２×Ｃ２／１５）｝／Ｂ２×１５］を算出する。ここで、Ｔは制御対象期間を意味する。
【０１３５】
そして、アドバイス生成部１２３は、制御対象期間算出部１２７が算出した制御対象期間を参照し、「制御対象期間以内であれば、エアコン２００を電源ＯＮしていた方が、電源ＯＦＦした場合に比べて全体的な消費電力量が少ないこと」を示すアドバイス情報を生成する。
【０１３６】
（ステップＳ４）
アドバイス生成部１２３は、アドバイス情報を生成すると、当該アドバイス情報をアドバイス情報出力部１２４、報知部１２５、および電子掲示板管理部１２６の少なくとも何れかに出力する。報知部１２５がアドバイス情報を取得した場合について、図１３を用いて説明する。図１３は、本発明の実施形態２におけるアドバイス生成装置１００がアドバイスを報知する例を示す図であり、（ａ）は、アドバイスを報知する一例であり、（ｂ）はアドバイスを報知する他の例である。
【０１３７】
例えば、報知部１２５は、アドバイス情報を取得すると、図１３の（ａ）に示すように、制御対象期間（１時間３０分）以内であれば、電源ＯＮしていた方が消費電力量は少なくなることを示すテキスト７０８を含む画像を、画像表示部１４０に表示する。
【０１３８】
また、例えば、アドバイス生成装置１００ａが、上述した制御操作受付部を備えていた場合、アドバイス生成部１２３は、制御操作受付部がエアコン２００を電源ＯＮから電源ＯＦＦへと切り替える旨の指示を受け付けたときに、アドバイス情報を生成してもよい。この場合、図１３の（ｂ）に示すように、電源ＯＦＦの操作を受け付けたが、制御対象期間（１時間３０分）以内であれば、電源ＯＮしていた方が消費電力量は少なくなることを示すテキスト７０９を含む画像を、画像表示部１４０に表示する。
【０１３９】
このように、本実施形態に係るアドバイス生成システム１ａでは、アドバイス生成装置１００ａは、エアコン２００が消費した電力を示す消費電力情報を参照して、エアコン２００を第２の動作モード（電源ＯＮ）で動作させた場合の消費電力量が、エアコン２００を第１の動作モード（電源ＯＦＦ）で動作させた場合の消費電力量以下になる制御対象期間を算出する。そして、アドバイス生成装置１００ａは、算出した制御対象期間以内であれば、「エアコン２００を第２の動作モードで動作させた方が、エアコン２００を第１の動作モードで動作させるよりも、全体的な消費電力量が少なくなる旨」を示すアドバイス情報を生成する。そのため、アドバイス生成装置１００ａは、電気機器の使用態様を鑑みたより適切なアドバイスを提供することができる。
【０１４０】
〔実施形態３〕
本発明の他の実施形態について、図１４および図１５に基づいて説明すれば、以下のとおりである。なお、説明の便宜上、前記実施形態にて説明した部材と同じ機能を有する部材については、同じ符号を付記し、その説明を省略する。
【０１４１】
実施形態１および実施形態２では、中継器４００と、アドバイス生成装置１００またはアドバイス生成装置１００ａとは、エアコン２００の設置場所と同一の宅内に設置されていたが、実施形態３に係るアドバイス生成システム１ｂでは、中継器４００およびアドバイス生成装置１００ｂとを、クラウド上に設置する。また、本実施形態における携帯端末６００の場所は限定されず、エアコン２００の設置場所と同一の宅内であってもよいし、宅外であってもよい。
【０１４２】
（アドバイス生成システム１ｂ）
図１４は、本発明の実施形態３に係るアドバイス生成システム１ｂを模式的に示す図である。アドバイス生成システム１ｂは、図１４に示すように、実施形態１に係るアドバイス生成システム１におけるアドバイス生成装置１００に替えて、アドバイス生成装置１００ｂを備えている。また、アドバイス生成装置１００ｂおよび中継器４００は、エアコン２００の設置場所とは異なるクラウド上に設置されている。そのため、図１４に示す宅以外の宅からも、消費電力情報を取得する構成であってもよい。
【０１４３】
（アドバイス生成装置１００ｂ）
図１５は、本発明の実施形態３におけるアドバイス生成装置１００ｂの要部構成を示すブロック図である。アドバイス生成装置１００ｂは、図１５に示すように、実施形態１におけるアドバイス生成装置１００のアドバイス生成装置制御部１２０に替えて、アドバイス生成装置制御部１２０ｂを備え、画像表示部１４０および音声出力部１５０を備えない構成になっている。また、アドバイス生成装置制御部１２０ｂは、図１５に示すように、実施形態１におけるアドバイス生成装置制御部１２０に加えて、制御対象期間算出部としても機能し、報知部１２５として機能しない構成になっている。
【０１４４】
（アドバイス生成装置１００ｂの処理の流れ）
アドバイス生成装置１００ｂの処理の流れについて、図６を用いて説明する。まず、アドバイス生成装置１００ａの消費電力情報取得部１２１が消費電力情報を取得し、アドバイス情報を生成するステップＳ１〜ステップＳ３の処理については、上述した内容と同じであるため、詳細な説明を省略する。
【０１４５】
（ステップＳ４）
アドバイス生成部１２３は、アドバイス情報を生成すると、当該アドバイス情報をアドバイス情報出力部１２４および電子掲示板管理部１２６の少なくとも何れかに出力する。ここで、アドバイス情報出力部１２４は、エアコン２００の設置場所とは異なる場所にある携帯端末６００に対しても、アドバイス情報を出力することができる。また、携帯端末６００は、エアコン２００の設置場所とは異なる場所であっても、アドバイス生成装置１００ｂから電子掲示板情報を取得することができる。
【０１４６】
このように、本実施形態に係るアドバイス生成システム１ｂでは、アドバイス生成装置１００ｂは、エアコン２００の設置場所とは異なる場所にある携帯端末６００からアドバイスを報知させる。そのため、アドバイス生成装置１００ｂは、外出中のユーザに対しても、エアコン２００の使用に関してアドバイスすることができる。
【０１４７】
〔実施形態４〕
アドバイス生成装置１００、１００ａ、および１００ｂのアドバイス生成装置制御部１２０、１２０ａ、１２０ｂは、集積回路（ＩＣチップ）等に形成された論理回路（ハードウェア）によって実現してもよいし、ＣＰＵ（Central Processing Unit）を用いてソフトウェアによって実現してもよい。
【０１４８】
後者の場合、アドバイス生成装置１００、１００ａ、および１００ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４９】
〔まとめ〕
本発明の態様１に係るアドバイス生成装置（１００、１００ａ、１００ｂ）は、電気機器が消費した電力を示す消費電力情報を取得する消費電力情報取得手段（消費電力情報取得部１２１）と、上記消費電力情報取得手段が取得した消費電力情報が示す消費電力のうち、上記電気機器の過去のある期間における消費電力の変化を参照し、上記電気機器の使用に関するアドバイスを示すアドバイス情報を生成する生成手段（アドバイス生成部１２３）と、を備える。
【０１５０】
上記の構成によれば、アドバイス生成装置は、電気機器が消費した消費電力の変化を参照したアドバイスを生成するので、電気機器の使用態様を鑑みたより適切なアドバイスを提供することができる。
【０１５１】
本発明の態様２に係るアドバイス生成装置は、上記態様１において、上記電気機器を第１の動作モードで第１の所定の期間動作させた場合の消費電力量と当該第１の所定の期間において基準となる第１の基準消費電力量との差分である第１の差分電力量、および、上記電気機器を第２の動作モードで第２の所定の期間動作させた場合の消費電力量と当該第２の所定の期間において基準となる第２の基準消費電力量との差分である第２の差分電力量を算出する差分電力量算出手段（差分電力量算出部１２２）をさらに備え、上記生成手段は、上記差分電力量算出手段が算出した第１の差分電力量および第２の差分電力量を比較し、比較結果に応じたアドバイス情報を生成してもよい。
【０１５２】
上記の構成によれば、アドバイス生成装置は、第１の動作モードで動作させた期間における第１の基準消費電力量との差分である第１の差分電力量と、第２の動作モードで動作させた期間における第２の基準消費電力量との差分である第２の差分電力量とを算出する。そして、アドバイス生成装置は、算出した第１の差分電力量および第２の差分電力量を比較し、比較結果に応じたアドバイス情報を生成する。そのため、アドバイス生成装置は、第１の動作モードで動作させた期間を、第２の動作モードで動作させた場合に、消費電力量がどのように変化するのかをアドバイスすることができる。
【０１５３】
本発明の態様３に係るアドバイス生成装置は、上記態様２において、上記差分電力量算出手段は、上記ある期間のうち、上記第１の動作モードで上記電気機器を動作させた第１動作モード期間における上記第１の差分電力量、および、上記ある期間のうち、上記第２の動作モードで上記電気機器を動作させた第２動作モード期間における上記第２の差分電力量を算出し、上記生成手段は、上記差分電力量算出手段が算出した第１の差分電力量が、上記第２の差分電力量より少ない場合に、上記第１動作モード期間では上記第２の動作モードで動作させた方が消費電力量は少なかったことを示すアドバイス情報を生成してもよい。
【０１５４】
上記の構成によれば、アドバイス生成装置は、第１の差分電力量が第２の差分電力量より少ない場合に、第１動作モード期間では第２の動作モードで動作させた方が消費電力量は少なかったことを示すアドバイス情報を生成する。そのため、アドバイス生成装置は、第１の動作モードで電気機器を動作させるより、第２の動作モードで電気機器を動作させた方が、消費電力量は少なかったとアドバイスすることができる。
【０１５５】
本発明の態様４に係るアドバイス生成装置は、上記態様３において、上記生成手段は、上記アドバイス情報に、上記第１の差分電力量と上記第２の差分電力量との差分を示す差分情報を含めてもよい。
【０１５６】
上記の構成によれば、アドバイス生成装置は、どのくらい消費電力量が少なかったのかをアドバイスすることができる。
【０１５７】
本発明の態様５に係るアドバイス生成装置（１００ａ、１００ｂ）は、上記態様２において、上記消費電力情報取得手段が取得した消費電力情報を参照して、上記電気機器を上記第２の動作モードで動作させた場合の消費電力量が、上記電気機器を上記第１の動作モードで動作させた場合の消費電力量以下になるような期間である制御対象期間を算出する制御対象期間算出手段（制御対象期間算出部１２７）をさらに備え、上記生成手段は、上記制御対象期間算出手段が算出した制御対象期間以内であれば、上記電気機器を上記第１の動作モードで動作させるよりも、上記第２の動作モードで動作させる方が、全体的な消費電力量が少なくなる旨を示すアドバイス情報を生成してもよい。
【０１５８】
上記の構成によれば、アドバイス生成装置は、電気機器を第２の動作モードで動作させた場合の消費電力量が、第１の動作モードで動作させた場合の消費電力量以下になる制御対象期間を算出する。そして、アドバイス生成装置は、算出した制御対象期間以内であれば、第１の動作モードで動作させるより第２の動作モードで動作させた方が全体的な消費電力量が少なくなることを示すアドバイス情報を生成する。そのため、アドバイス生成装置は、電気機器の使用態様を鑑みたより適切なアドバイスを提供することができる。
【０１５９】
本発明の態様６に係るアドバイス生成装置は、上記態様５において、上記制御対象期間算出手段は、上記差分電力量算出手段が算出する上記制御対象期間における第１の差分電力量と第２の差分電力量とが等しくなるための上記制御対象期間を算出してもよい。
【０１６０】
上記の構成によれば、アドバイス生成装置は、消費電力情報を参照して、制御対象期間を算出することができる。
【０１６１】
本発明の態様７に係るアドバイス生成装置は、上記態様５または６において、上記電気機器に対する操作指示を受け付ける受付手段（制御操作受付部）をさらに備え、上記生成手段は、上記受付手段が上記電気機器を上記第２の動作モードから上記第１の動作モードへと切り替える旨の指示を受け付けたときに、上記アドバイス情報を生成してもよい。
【０１６２】
上記の構成によれば、アドバイス生成装置は、電気機器を第２の動作モードから第１の動作モードへと切り替える際に、アドバイス情報を生成する。そのため、アドバイス生成装置は、適切なタイミングでアドバイスすることができる。
【０１６３】
本発明の態様８に係るアドバイス生成装置は、上記態様１〜７において、上記電気機器を含む複数の電気機器と、上記消費電力情報取得手段とを中継する中継手段（中継器４００）をさらに備えてもよい。
【０１６４】
上記の構成によれば、アドバイス生成装置は、中継手段を中継してアドバイスすることができる。
【０１６５】
本発明の態様９に係るアドバイス生成装置は、上記態様８において、上記生成手段が生成したアドバイス情報が示すアドバイスを、上記中継手段を介して上記複数の電気機器の何れかに出力するアドバイス情報出力手段（アドバイス情報出力部１２４）をさらに備え、上記アドバイス情報出力手段は、上記生成手段が上記アドバイス情報を生成するために参照した消費電力情報が示す消費電力量を消費した電気機器に、上記アドバイス情報を出力してもよい。
【０１６６】
上記の構成によれば、アドバイス生成装置は、適した電気機器からアドバイスすることができる。
【０１６７】
本発明の態様１０に係るアドバイス生成装置は、上記態様１〜９において、上記生成手段によって生成されたアドバイス情報が示すアドバイスを報知する報知手段（報知部１２５）をさらに備えてもよい。
【０１６８】
上記の構成によれば、アドバイス生成装置は、自装置からアドバイスすることができる。
【０１６９】
本発明の態様１１に係るアドバイス生成装置は、上記態様１〜１０において、電子掲示板を管理する管理手段（電子掲示板管理部１２６）をさらに備え、上記管理手段は、上記生成手段によって生成されたアドバイス情報が示すアドバイスを上記電子掲示板に投稿してもよい。
【０１７０】
上記の構成によれば、アドバイス生成装置は、電子掲示板を介してアドバイスすることができる。
【０１７１】
本発明の態様１２に係るアドバイス生成装置（１００、１００ａ、１００ｂ）は、電気機器が消費した電力を示す消費電力情報を取得する消費電力情報取得手段（消費電力情報取得部１２１）と、上記消費電力情報取得手段が取得した消費電力情報を参照して、所定の期間において、第１の動作モードで動作させるよりも、当該第１の動作モードよりも消費電力が大きい第２の動作モードにて動作させる方が、全体的な消費電力量が少なくなる旨のアドバイスを生成する生成手段（アドバイス生成部１２３）と、を備える。
【０１７２】
上記の構成によれば、アドバイス生成装置は、第１の動作モードで動作させるよりも、第１の動作モードよりも消費電力が大きい第２の動作モードで動作させる方が、全体的な消費電力量が少なくなる旨のアドバイスを生成する。そのため、アドバイス生成装置は、消費電力の小さい動作モードで動作させる方が全体として消費電力量が少なくなるとは限らないことをアドバイスすることができる。
【０１７３】
本発明の態様１３に係るアドバイス生成方法は、電気機器が消費した電力を示す消費電力情報を取得する消費電力情報取得工程と、上記消費電力情報取得工程において取得した消費電力情報が示す消費電力のうち、上記電気機器の過去のある期間における消費電力の変化を参照し、上記電気機器の使用に関するアドバイスを示すアドバイス情報を生成する生成工程と、を含む。
【０１７４】
上記の構成によれば、アドバイス生成方法は、電気機器の使用態様を鑑みたより適切なアドバイスを提供することができる。
【０１７５】
本発明の各態様に係るアドバイス生成装置は、コンピュータによって実現してもよく、この場合には、コンピュータを上記アドバイス生成装置が備える各手段として動作させることにより上記アドバイス生成装置をコンピュータにて実現させるアドバイス生成装置の制御プログラム、およびそれを記録したコンピュータ読み取り可能な記録媒体も、本発明の範疇に入る。
【０１７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７７】
本発明は、電気機器の消費電力を管理するＨＥＭＳ（Home Energy Management System）などに利用することができる。
【符号の説明】
【０１７８】
１、１ａ、１ｂ  アドバイス生成システム
１００  アドバイス生成装置
１１０  アドバイス生成装置通信部
１２０、１２０ａ、１２０ｂ  アドバイス生成装置制御部
１２１  消費電力情報取得部（消費電力情報取得手段）
１２２  差分電力量算出部（差分電力量算出手段）
１２３  アドバイス生成部（生成手段）
１２４  アドバイス情報出力部（アドバイス情報出力手段）
１２５  報知部（報知手段）
１２６  電子掲示板管理部（管理手段）
１２７  制御対象期間算出部（制御対象期間算出手段）
２００  エアコン
３００  消費電力測定タップ
４００  中継器（中継手段）
５００  テレビ
６００  携帯端末
【図１】
0006482801.tif 000002
【図２】
0006482801.tif 000003
【図３】
0006482801.tif 000004
【図４】
0006482801.tif 000005
【図５】
0006482801.tif 000006
【図６】
0006482801.tif 000007
【図７】
0006482801.tif 000008
【図８】
0006482801.tif 000009
【図９】
0006482801.tif 000010
【図１０】
0006482801.tif 000011
【図１１】
0006482801.tif 000012
【図１２】
0006482801.tif 000013
【図１３】
0006482801.tif 000014
【図１４】
0006482801.tif 000015
【図１５】
0006482801.tif 000016